(57)【要約】  電力をワイヤレス送信するための方法および装置が開示される。一態様では、電力をワイヤレス送信するための装置が提供される。装置は、複数のスロットを画定する形状を有する第１の金属シートを備え、複数のスロットは第１の金属シートの周辺から内向きに延びる。装置は、負荷を充電または電力供給するのに十分な磁場を生成するように構成されたコイルをさらに備え、第１の金属シートはコイルの幅および長さにわたって延び、複数のスロットは、磁場を介して第１の金属シート内に生成された渦電流を少なくとも部分的にキャンセルするように構成される。
2018537840.tif 000002
【特許請求の範囲】
【請求項１】
電力をワイヤレスに送信するための装置であって、前記装置が、
複数のスロットを画定する形状を有する第１の金属シートであって、前記複数のスロットが前記第１の金属シートの周辺から内向きに延びる、第１の金属シートと、
負荷を充電または電力供給するのに十分な磁場を生成するように構成されたコイルとを備え、前記第１の金属シートが前記コイルの幅および長さにわたって延び、前記複数のスロットが、前記磁場を介して前記第１の金属シート内に生成された渦電流を少なくとも部分的にキャンセルするように構成されている、装置。
【請求項２】
一つまたは複数のフェライト片をさらに備える、請求項１に記載の装置。
【請求項３】
前記一つまたは複数のフェライトが、前記複数のスロットの上または中に置かれた片である、請求項２に記載の装置。
【請求項４】
第２の金属シートをさらに備え、前記第１の金属シートが前記コイルの第１の側に配置され、前記第２の金属シートが前記コイルの第２の側に配置されている、請求項１に記載の装置。
【請求項５】
前記第２の金属シートがフル金属シートを備える、請求項４に記載の装置。
【請求項６】
前記コイルが第１の平面に沿ったコイルループを備え、前記複数のスロットが前記コイルループの少なくとも一部分と重なり、前記第１の平面に沿った前記コイルループに直角に構成されている、請求項１に記載の装置。
【請求項７】
前記第１の金属シートの第１の側に配置された誘電体シートをさらに備える、請求項１に記載の装置。
【請求項８】
前記第１の金属シートが、前記コイルの第１の側に配置されている、請求項１に記載の装置。
【請求項９】
第３の金属シートをさらに備え、前記第３の金属シートが複数のスロットを備え、前記複数のスロットが前記第３の金属シートの周辺から延び、前記第１の金属シートが前記コイルの第１の側に配置され、前記第３の金属シートが前記コイルの第２の側に配置されている、請求項１に記載の装置。
【請求項１０】
前記第１の金属シートが、金属または異物あるいは前記コイルの充電領域内に配置された表面から前記コイルをシールドするように構成されている、請求項１に記載の装置。
【請求項１１】
前記コイルを備える共振回路をさらに備える、請求項１に記載の装置。
【請求項１２】
前記複数のスロットが、前記第１の金属シートの両側から水平方向内向きに延び、前記第１の金属シートの両側からのスロットのペアが、前記第１の金属シートの中心領域内で垂直方向に重なる、請求項１に記載の装置。
【請求項１３】
前記複数のスロットが、前記第１の金属シートを対角線方向に横切って延びている、請求項１に記載の装置。
【請求項１４】
前記複数のスロットが、第１の方向に配向されたスロットの第１のグループを含み、スロットの第２のグループが、前記第１の方向に直交する第２の方向に配向されている、請求項１に記載の装置。
【請求項１５】
ワイヤレス電力トランスミッタをシールドする方法であって、
複数のスロットを備える第１の金属シートがコイルの幅および長さにわたって延びるように、前記第１の金属シートを前記コイルに対して設置するステップを含み、前記複数のスロットが前記第１の金属シートの周辺から内向きに延び、
前記コイルが、負荷を充電または電力供給するのに十分な磁場を生成するように構成され、
前記複数のスロットが、前記磁場を介して前記第１の金属シート内に生成された渦電流を少なくとも部分的にキャンセルするように構成される、方法。
【請求項１６】
一つまたは複数のフェライト片を前記複数のスロットの上または中に設置するステップをさらに含む、請求項１５に記載の方法。
【請求項１７】
第２の金属シートを設置するステップをさらに含み、前記第１の金属シートが前記コイルの第１の側に配置され、前記第２の金属シートが前記コイルの第２の側に配置される、請求項１５に記載の方法。
【請求項１８】
前記コイルが第１の平面に沿ったコイルループを備え、前記複数のスロットが前記コイルループの少なくとも一部分と重なり、前記第１の平面に沿った前記コイルループに直角に構成される、請求項１５に記載の方法。
【請求項１９】
前記コイルが共振器回路を備える、請求項１５に記載の方法。
【請求項２０】
電力をワイヤレスに送信するための装置であって、前記装置が、
負荷を充電または電力供給するのに十分な磁場を生成するための生成手段と、
前記生成手段をシールドするためのシールド手段とを含み、前記シールド手段が、前記磁場を介して前記シールド手段内に生成される渦電流を少なくとも部分的にキャンセルするように構成されている、装置。
【請求項２１】
前記シールド手段が、複数のスロットの上または中に設置された一つまたは複数のフェライト片を備える、請求項２０に記載の装置。
【請求項２２】
前記生成手段をシールドするための第２のシールド手段をさらに含み、前記シールド手段が前記生成手段の第１の側に配置され、前記第２のシールド手段が前記生成手段の第２の側に配置されている、請求項２０に記載の装置。
【請求項２３】
前記生成手段が第１の平面に沿ったコイルループを備え、前記シールド手段が前記コイルループの少なくとも一部分と重なる複数のスロットを備え、前記第１の平面に沿った前記コイルループに直交するように構成されている、請求項２０に記載の装置。
【請求項２４】
前記生成する手段が共振回路を備える、請求項２０に記載の装置。
【請求項２５】
電力をワイヤレスに送信するための装置であって、前記装置が、
複数のスロットを画定する形状を有する第１の金属シートと、
負荷を充電または電力供給するのに十分な磁場を生成するように構成されたコイルとを備え、前記第１の金属シートが前記コイルの幅および長さにわたって延び、前記コイルが第１の平面に沿ったコイルループを備え、前記複数のスロットが前記コイルループの少なくとも一部分と重なり、前記複数のスロットが、前記磁場を介して前記第１の金属シート内に生成された渦電流を少なくとも部分的にキャンセルするように構成されている、装置。
【請求項２６】
前記複数のスロットの上または中に置かれた一つまたは複数のフェライト片を備える、請求項２５に記載の装置。
【請求項２７】
第２の金属シートをさらに備え、前記第１の金属シートが前記コイルの第１の側に配置され、前記第２の金属シートが前記コイルの第２の側に配置されている、請求項２５に記載の装置。
【請求項２８】
前記複数のスロットが、前記第１の平面に沿った前記コイルループに直交するように構成されている、請求項２５に記載の装置。
【請求項２９】
前記第１の金属シートが、金属または異物あるいは前記コイルの充電領域内に配置された表面から前記コイルをシールドするように構成されている、請求項２５に記載の装置。
【請求項３０】
前記コイルを備える共振回路をさらに備える、請求項２５に記載の装置。
【発明の詳細な説明】
【技術分野】
【０００１】
本開示は、一般に、ワイヤレス電力トランスミッタのための電磁シールドに関する。
【背景技術】
【０００２】
充電可能バッテリーによって電力を供給される電子デバイスの数および種類が増大している。そのようなデバイスには、モバイルフォン、携帯型音楽プレーヤ、ラップトップコンピュータ、タブレットコンピュータ、コンピュータ周辺デバイス、通信デバイス（たとえば、Ｂｌｕｅｔｏｏｔｈ（登録商標）デバイス）、デジタルカメラ、補聴器などが含まれる。バッテリー技術は向上してきたが、バッテリー電源の電子デバイスは、より多くの電力量をますます必要とし消費するので、頻繁に充電する必要がある。充電可能デバイスは、多くの場合に、電源に物理的に接続されるケーブルまたは他の同様のコネクタを通して有線接続によって充電される。ケーブルおよび同様のコネクタは、不便であるか、または扱いにくく、他の欠点を有することが時々ある。充電可能電子デバイスを充電するか、または電子デバイスに電力を提供するのに用いられることになる電力を自由空間において伝達することができるワイヤレス充電システムは、有線式の充電解決策の欠点の一部を克服する可能性がある。したがって、電子デバイスに電力を効率的かつ安全に伝達するワイヤレス電力伝達システムおよび方法が望ましい。
【発明の概要】
【課題を解決するための手段】
【０００３】
添付の特許請求の範囲内のシステム、方法およびデバイスの様々な実装形態は、それぞれいくつかの態様を有し、それらのうちの単一の態様が、本明細書で説明される望ましい属性を単独で受け持つわけではない。本明細書においては、添付の特許請求の範囲を限定することなしに、いくつかの顕著な特徴について説明する。
【０００４】
本明細書内で説明する主題の一つまたは複数の実装形態の詳細は、添付図面および下の説明内に記載される。他の特徴、態様、および利点は、説明、図面、および特許請求の範囲から明らかになるであろう。以下の図の相対寸法は一定の縮尺で描かれていないことがあることに留意されたい。
【０００５】
本開示で説明する主題の一態様は、電力をワイヤレスに送信するための装置を提供する。装置は、複数のスロットを画定する形状を有する第１の金属シートを含み、複数のスロットは第１の金属シートの周辺から内向きに延びる。装置は、負荷を充電または電力供給するのに十分な磁場を生成するように構成されたコイルをさらに含み、第１の金属シートはコイルの幅および長さにわたって延び、複数のスロットは、磁場を介して第１の金属シート内に生成された渦電流を少なくとも部分的にキャンセルするように構成される。
【０００６】
本開示で説明する主題の別の態様は、ワイヤレス電力トランスミッタをシールドする方法の実装形態を提供する。方法は、複数のスロットを備える第１の金属シートがコイルの幅および長さにわたって延びるように、第１の金属シートをコイルに対して設置するステップを含み、複数のスロットは第１の金属シートの周辺から内向きに延び、コイルは負荷を充電または電力供給するのに十分な磁場を生成するように構成され、複数のスロットは磁場を介して第１の金属シート内に生成された渦電流を少なくとも部分的にキャンセルするように構成される。
【０００７】
本開示で説明する主題の別の態様は、電力をワイヤレスに送信するための装置の実装形態を提供する。本装置は、負荷を充電または電力供給するのに十分な磁場を生成するための手段を含む。装置は、磁場を介してシールドするための第１の手段内に生成された渦電流をキャンセルするための手段を含む、生成する手段をシールドするための第１の手段をさらに含む。
【０００８】
本開示で説明する主題の別の態様は、電力をワイヤレスに送信するための装置の実装形態を提供する。装置は、複数のスロットを画定する形状を有する第１の金属シートを含む。装置は、負荷を充電または電力供給するのに十分な磁場を生成するように構成されたコイルをさらに含み、第１の金属シートはコイルの幅および長さにわたって延び、コイルは第１の平面に沿ったコイルループを備え、複数のスロットはコイルループの少なくとも一部分と重複し、複数のスロットは、磁場を介して第１の金属シート内に生成された渦電流を少なくとも部分的にキャンセルするように構成される。
【図面の簡単な説明】
【０００９】
【図１】本発明の例示的な実施形態による、例示的なワイヤレス電力伝達システムの機能ブロック図である。
【図２】本発明の様々な例示的な実施形態による、図１のワイヤレス電力伝達システムで使用されてもよい例示的な構成要素の機能ブロック図である。
【図３】本発明の例示的な実施形態による、送信アンテナまたは受信アンテナを含む、図２の送信回路または受信回路の一部の概略図である。
【図４Ａ】一実施形態による例示的な電力送信素子構造の図である。
【図４Ｂ】一実施形態による別の例示的な電力送信素子構造の図である。
【図５Ａ】一実施形態による例示的な電磁シールドの図である。
【図５Ｂ】一実施形態による別の例示的な電磁シールドの図である。
【図５Ｃ】一実施形態による別の例示的な電力送信素子構造の図である。
【図６Ａ】一実施形態による別の例示的な電力送信素子構造の断面図である。
【図６Ｂ】一実施形態による別の例示的な電力送信素子構造の断面図である。
【図７】本明細書で説明する実施形態による電力送信素子に対する異なる構成によって生成された例示的な値のチャートである。
【図８Ａ】一実施形態による別の例示的な電磁シールドの図である。
【図８Ｂ】一実施形態による別の例示的な電磁シールドの図である。
【図９Ａ】一実施形態による別の例示的な電磁シールドの図である。
【図９Ｂ】一実施形態による別の例示的な電磁シールドの図である。
【図１０Ａ】一実施形態によるフル金属板が電力送信素子の下に配置されたときの電力送信素子構成の例示的なシミュレーションである。
【図１０Ｂ】一実施形態によるパターン化金属シートを備える電力送信素子のシミュレーションである。
【図１１Ａ】一実施形態によるスロットを使用した金属シート内の渦電流のキャンセル効果を示す図である。
【図１１Ｂ】一実施形態による金属シート内に生成された渦電流の方向を示す図である。
【図１２】一実施形態による、ワイヤレス電力を送信する例示的な方法のフローチャートである。
【発明を実施するための形態】
【００１０】
図面に示す様々な特徴は、一定の縮尺で描かれていないことがある。したがって、様々な特徴の寸法は、明快のために任意に拡大または縮小され得る。さらに、図面のいくつかは、所与のシステム、方法、またはデバイスの構成要素のすべてを示さないことがある。最後に、同様の参照番号が、明細書および図面全体にわたって同様の特徴を表すために使用され得る。
【００１１】
以下の説明において、説明のために、本開示の完全な理解を提供するために多数の例および特定の詳細が示される。しかしながら、特許請求の範囲に示される本開示には、単独で、または以下で説明される他の特徴と組み合わせて、これらの例における特徴のうちのいくつかまたはすべてを含めてもよいこと、また、本明細書において説明する特徴および概念の変更形態および均等物をさらに含めてもよいことが当業者には明らかであろう。
【００１２】
ワイヤレス電力伝達は、物理的な電気導体を使用することなく、電場、磁場、電磁場などに関連する任意の形態のエネルギーをトランスミッタからレシーバに伝達する（たとえば、電力は、自由空間を通して伝達され得る）ことを指す場合がある。電力伝達を実現するために、ワイヤレスフィールド（たとえば、磁場または電磁場）内に出力された電力は、「電力受信素子」によって受信され、捕捉され、または結合される場合がある。
【００１３】
図１は、例示的実施形態による、ワイヤレス電力伝達システム１００の機能ブロック図である。入力電力１０２が電源（この図には示さず）からトランスミッタ１０４に供給され、エネルギー伝達を実施するためのワイヤレスフィールド（たとえば、磁場または電磁場）１０５が生成され得る。レシーバ１０８は、ワイヤレスフィールド１０５に結合し、出力電力１１０に結合されるデバイス（この図には示さず）によって蓄積または消費するように出力電力１１０を生成してもよい。トランスミッタ１０４とレシーバ１０８は、距離１１２だけ離されてもよい。トランスミッタ１０４は、エネルギーをレシーバ１０８に送信／結合するための電力送信素子１１４を含んでもよい。レシーバ１０８は、トランスミッタ１０４から送信されたエネルギーを受信するか、または捕捉し／結合するための電力受信素子１１８を含んでもよい。
【００１４】
一つの例示的実施形態では、トランスミッタ１０４およびレシーバ１０８は、相互共振関係に従って構成されてもよい。レシーバ１０８の共振周波数およびトランスミッタ１０４の共振周波数が実質的に同じであるか、または極めて近いとき、トランスミッタ１０４とレシーバ１０８との間の伝送損失が低減する。したがって、ワイヤレス電力伝達はより長い距離にわたって行われてもよい。したがって、共振誘導結合技法は、効率の改善と、種々の距離にわたる、様々な誘導電力送信および受信素子構成による電力伝達とを可能にする場合がある。
【００１５】
いくつかの実施形態では、以下においてさらに説明するように、ワイヤレスフィールド１０５はトランスミッタ１０４の「近距離場」に相当してもよい。近距離場は、電力送信素子１１４から放射する電力を最小限に抑える電力送信素子１１４内の電流および電荷から生じる強い反応場が存在する領域に相当してもよい。近距離場は、電力送信素子１１４の約１波長（または、波長の数分の一）内に存在する領域に相当してもよい。
【００１６】
いくつかの実施形態では、効率的なエネルギー伝達は、電磁波のエネルギーの大部分を遠距離場に伝搬するのではなく、ワイヤレスフィールド１０５内のエネルギーの大部分を電力受信素子１１８に結合することによって生じる場合がある。
【００１７】
いくつかの実装形態では、トランスミッタ１０４は、電力送信素子１１４の共振周波数に相当する周波数を有する時変磁場（または電磁場）を出力してもよい。レシーバ１０８がワイヤレスフィールド１０５内にあるとき、時変磁場（または電磁場）は、電力受信素子１１８内に電流を誘導してもよい。上述のように、電力受信素子１１８が電力送信素子１１４の周波数で共振するように共振回路として構成される場合、エネルギーが効率的に伝達される場合がある。電力受信素子１１８において誘導された交流（ＡＣ）信号が、負荷を充電するか、または負荷に電力を供給するために供給される場合がある直流（ＤＣ）信号を生成するように整流されてもよい。
【００１８】
図２は、別の例示的実施形態による、ワイヤレス電力伝達システム２００の機能ブロック図である。システム２００は、トランスミッタ２０４およびレシーバ２０８を含んでもよい。トランスミッタ２０４（本明細書では電力送信ユニット、ＰＴＵとも呼ばれる）は、発振器２２２と、ドライバ回路２２４と、フロントエンド回路２２６と、インピーダンス制御モジュール２２７とを含む場合がある送信回路２０６を含んでもよい。発振器２２２は、周波数制御信号２２３に応答して調節することのできる所望の周波数において信号を生成するように構成されてもよい。発振器２２２は、ドライバ回路２２４に発振器信号を供給してもよい。ドライバ回路２２４は、入力電圧信号（ＶＤ）２２５に基づいて、たとえば、電力送信素子２１４の共振周波数において、電力送信素子２１４を駆動するように構成されてもよい。ドライバ回路２２４は、発振器２２２から方形波を受信し、正弦波を出力するように構成されるスイッチング増幅器であってもよい。
【００１９】
フロントエンド回路２２６は、高調波または他の不要な周波数をフィルタ除去するためのフィルタ回路を含んでもよい。フロントエンド回路２２６は、トランスミッタ２０４のインピーダンスを電力送信素子２１４に整合させるために整合回路を含んでもよい。以下においてより詳細に説明するように、フロントエンド回路２２６は、電力送信素子２１４を含む共振回路を作成するための同調回路を含んでもよい。電力送信素子２１４を駆動する結果として、電力送信素子２１４は、ワイヤレスフィールド２０５を生成して、バッテリー２３６を充電するかまたは場合によっては負荷に電力を供給するのに十分なレベルで電力をワイヤレスに出力してもよい。インピーダンス制御モジュール２２７は、フロントエンド回路２２６を制御してもよい。
【００２０】
トランスミッタ２０４は、送信回路２０６の一つまたは複数の態様を制御するかまたは電力の伝達の管理に関連する他の動作を実現するように構成される送信回路２０６に動作可能に結合されるコントローラ２４０をさらに含んでもよい。コントローラ２４０は、マイクロコントローラであっても、あるいはプロセッサであってもよい。コントローラ２４０は、特定用途向け集積回路（ＡＳＩＣ）として実装されてもよい。コントローラ２４０は、直接的または間接的に、送電回路２０６の各構成要素に動作可能に接続されてもよい。コントローラ２４０は、送電回路２０６の構成要素の各々から情報を受信し、受信した情報に基づいて計算を実行するようにさらに構成されてもよい。コントローラ２４０は、その構成要素の動作を調整する場合がある構成要素の各々のための制御信号（たとえば、信号２２３）を生成するように構成されてもよい。したがって、コントローラ２４０は、それによって実行された演算の結果に基づいて、電力伝達を調整または管理するように構成されてもよい。トランスミッタ２０４は、たとえば、コントローラ２４０にワイヤレス電力伝達の管理に関係する機能などの特定の機能を実行させるための命令などのデータを記憶するように構成されるメモリ（図示せず）をさらに含んでもよい。
【００２１】
レシーバ２０８（本明細書では電力受信ユニット、ＰＲＵとも呼ぶ）は、フロントエンド回路２３２と整流器回路２３４とを含む場合がある受信回路２１０を含んでもよい。フロントエンド回路２３２は、受信回路２１０のインピーダンスを電力受信素子２１８に整合させるための整合回路を含んでもよい。以下において説明するように、フロントエンド回路２３２は、電力受信素子２１８を含む共振回路を作成するための同調回路をさらに含んでもよい。整流器回路２３４は、図２に示すように、ＡＣ電力入力からＤＣ電力出力を生成し、バッテリー２３６を充電してもよい。レシーバ２０８およびトランスミッタ２０４はさらに、別個の通信チャネル２１９（たとえば、Ｂｌｕｅｔｏｏｔｈ（登録商標）、Ｚｉｇｂｅｅ、セルラーなど）上で通信してもよい。レシーバ２０８およびトランスミッタ２０４は、代替的には、ワイヤレスフィールド２０５の特性を使用して帯域内シグナリングによって通信してもよい。
【００２２】
レシーバ２０８は、トランスミッタ２０４によって送信され、レシーバ２０８によって受信される電力量がバッテリー２３６を充電するのに適切であるかどうかを判定するように構成されてもよい。送電器２０４は、エネルギー転送を行うための直接場結合係数（ｋ）を有する、大部分は非放射の場を生成するように構成され得る。レシーバ２０８は、ワイヤレス場２０５に直接結合してもよく、受信回路２１０の出力に結合されるバッテリー（または、負荷）２３６による蓄積または消費のために出力電力を生成してもよい。
【００２３】
レシーバ２０８は、ワイヤレス電力レシーバの一つまたは複数の態様の管理に関して上記において説明したような送信コントローラ２４０と同様に構成されるコントローラ２５０をさらに含んでもよい。レシーバ２０８は、たとえば、コントローラ２５０にワイヤレス電力伝達の管理に関係する機能などの特定の機能を実行させるための命令などのデータを記憶するように構成されるメモリ（図示せず）をさらに含んでもよい。
【００２４】
上記で論じたように、トランスミッタ２０４およびレシーバ２０８は距離によって分離されてもよく、トランスミッタとレシーバとの間の伝送損失を最小限に抑えるように相互共振関係に従って構成されてもよい。
【００２５】
図３は、例示的実施形態による、図２の送信回路２０６または受信回路２１０の一部の概略図である。図３に示すように、送信または受信回路３５０は、電力送信または受信素子３５２と同調回路３６０とを含んでもよい。電力送信または受信素子３５２はまた、アンテナまたは「ループ」アンテナと呼ばれることがあり、あるいはアンテナまたは「ループ」アンテナとして構成される場合がある。「アンテナ」という用語は、一般に、別の「アンテナ」に結合するためのエネルギーをワイヤレスに出力するか、または受け取る場合がある構成要素を指す。電力送信または受信素子３５２はまた、本明細書では「磁気」アンテナ、または誘導コイル、共振器、もしくは共振器の一部と呼ばれることがあり、あるいは「磁気」アンテナ、または誘導コイル、共振器、もしくは共振器の一部として構成される場合がある。電力送信または受信素子３５２は、電力をワイヤレスに出力するか、または受信するように構成されるタイプのコイルまたは共振器と呼ばれることもある。本明細書で使用する電力送信または受信素子３５２は、電力をワイヤレスに出力し、かつ／または受信するように構成されるタイプの「電力伝達構成要素」の一例である。電力送信または受信素子３５２は、空芯、またはフェライトコアなどの物理的コアを含んでもよい（この図に示さず）。
【００２６】
電力送信または受信素子３５２が同調回路３６０を含む共振回路または共振器として構成されるとき、電力送信または受信素子３５２の共振周波数は、インダクタンスおよびキャパシタンスに基づいてもよい。インダクタンスは、単に電力送信または受信素子３５２を形成するコイルまたはその他のインダクタによって生成されるインダクタンスであってもよい。キャパシタンス（たとえば、キャパシタ）は、所望の共振周波数における共振構造を作成するように同調回路３６０によって生成されてもよい。非限定的な例として、同調回路３６０はキャパシタ３５４を備えてもよく、共振回路を作成するように送信または受信回路３５０にキャパシタ３５６が付加されてもよい。
【００２７】
同調回路３６０は、電力送信または受信素子３５２を含む共振回路を形成するための他の構成要素を含んでもよい。別の非限定的な例として、同調回路３６０は、回路３５０の２つの端子間に並列に配置されたキャパシタ（図示せず）を含んでもよい。さらに他の構成も可能である。いくつかの実施形態では、フロントエンド回路２２６内の同調回路は、フロントエンド回路２３２内の同調回路と同じ構成（たとえば、３６０）を有してもよい。他の実施形態では、フロントエンド回路２２６は、フロントエンド回路２３２とは異なる同調回路構成を使用してもよい。
【００２８】
電力送信素子に関しては、信号３５８は、電力送信または受信素子３５２の共振周波数に実質的に相当する周波数を有し、電力送信または受信素子３５２への入力であってもよい。電力受信素子に関しては、信号３５８は、電力送信または受信素子３５２の共振周波数に実質的に相当する周波数を有し、電力送信または受信素子３５２からの出力であってもよい。本明細書で提供する実施形態および説明は、共振および非共振の実装形態（たとえば、電力送信または受信素子ならびに共振および非共振システムのための共振および非共振回路）に適用されてもよい。
【００２９】
いくつかの実施形態では、ワイヤレス電力伝達システム（たとえば、ワイヤレス電力伝達システム１００、２００）の上または付近に配置された金属または異物は、システム内のワイヤレス電力伝達に悪影響を及ぼす場合がある。たとえば、ワイヤレス電力伝達システム２００の充電領域内に置かれた金属物体は、金属物体の加熱を生じてワイヤレス電力伝達システム２００構成要素に障害を引き起こし、ならびに効率ロスをもたらす場合がある。別の例では、電力送信素子２１４または電力受信素子２１８は、ワイヤレス電力伝達システム２００の共振周波数を変更し、かつ／またはワイヤレスフィールド２０５を変更する場合がある金属テーブルまたは金属物体の上に置かれる場合がある。いくつかの態様では、金属テーブル、金属または異物の影響は、ワイヤレス電力伝達システム２００を使用不能にしてワイヤレス電力伝達を阻む場合がある。加えて、生物（たとえば、動物、人など）が、生物に傷害をもたらす可能性がある有害な電磁場にさらされる場合がある。いくつかの態様では、共振周波数のずれを回避し、損失を回避し、ワイヤレス電力伝達システム２００の効率を向上させるために、電力送信素子２１４および電力受信素子２１８のうちの一つまたは複数を金属物体または異物の影響からシールドすることが望ましい場合がある。いくつかの態様では、電力送信素子２１４を金属物体または異物の影響からシールドするために、電磁シールドが電力送信素子２１４の上または下に置かれてもよい。いくつかの実施形態では、シールドは、金属シートからエッチングで空けられた複数のスロットを有する金属シートを備えてもよい。スロットは、金属シート内に生成された渦電流（たとえば、電力送信素子２１４によって生成された磁場に応答して形成された渦電流）を少なくとも部分的にキャンセルし、電力送信素子２１４の近傍に置かれた他の金属物体または異物の影響を低減またはネゲートするように構成されてもよい。本明細書で説明する実施形態は、電力送信素子を金属物体または異物の影響からシールドすることに関する。本明細書で説明する例は電力送信素子に関するが、そのような実施形態および記述はまた、電力受信素子にも適用されてもよい。
【００３０】
図４Ａは、電力送信素子４００の例示的な分解組立図である。図示のように、電力送信素子４００は、共振器４１４と、一つまたは複数のフェライト片４２０と、パターン化金属シート４２５と、誘電体シート４３０と、フル金属シート４４０とを備える。いくつかの態様では、共振器４１４は、図２の電力送信素子２１４および図３の電力送信素子または電力受信素子３５２と同様である場合がある。共振器４１４は、コイルループ構成に構成されてもよいアンテナまたはコイルを備える場合がある。いくつかの態様では、共振器４１４は、負荷を電力供給または充電するのに十分な磁場を生成するように構成されてもよい。いくつかの態様では、フェライト片４２０は、任意のフェライトまたは磁気の材料を備えてもよい。たとえば、フェライト片４２０は、鉄、亜鉛、ニッケル、または任意の他の強磁性材料を備えてもよい。強磁性材料の非限定的な例には、２０００以上の比透磁率μｒを有する材料が含まれる。透磁率は、通常、定数「μ」または比透磁率「μｒ」によって示される。本明細書で使用する比透磁率は、概して、自由空間（真空）の透磁率μ０に対する特定の媒体の透磁率の比を指す（μｒ＝μ／μ０）。
【００３１】
図４Ａに示すように、パターン化金属シート４２５は、複数のスロット４２６を備えてもよい。金属シート４２５はまた、共振器４１４とショートするのを回避するために、共振器４１４から物理的なスペーシングを有してもよい。いくつかの態様では、プラスチックの固定具が、スペーシングを実装するために組み付けられ得る。いくつかの態様では、スペーシングは、誘電体シート４３０によって実装されてもよい。スロット４２６は、パターン化金属シート４２５から取り除かれた、パターン化金属シート４２５内の空きスペースを含んでもよい。いくつかの態様では、パターン化金属シート４２５は、電力送信素子４００の第１の金属シートを備えてもよい。いくつかの態様では、フェライト片４２０は、パターン化金属シート４２５のパターン化スロット４２６と整合するように構成されてもよい。いくつかの態様では、フェライト片４２０は、共振器４１４の磁場を遮断するが電力送信素子４００にコストを追加する場合があるフルフェライトシートを備えてもよい。電力送信素子４００はまた、パターン化金属シート４２５の下に誘電体シート４３０を備えてもよい。誘電体シート４３０は、共振器４１４とフル金属シート４４０との間のスペーサとして働く場合がある。いくつかの態様では、誘電体シート４３０は、共振器４１４とパターン化金属シート４２５との間のスペーサとして働くために、共振器４１４の上に置かれてもよい。加えて、いくつかの実施形態では、フル金属シート４４０は、誘電体スペーサ４３０の下に置かれてもよい。いくつかの態様では、フル金属シート４４０は、電力送信素子４００の第２の金属シートを備えてもよい。
【００３２】
いくつかの実施形態では、電力送信素子４００は、フェライト片４２０なしにおよび／またはフル金属シート４４０なしに、パターン化金属シート４２５および共振器４１４を備えてもよい。いくつかの態様では、フェライト片４２０および／またはフル金属シート４４０を除外することが望ましい場合がある。たとえば、電力送信素子４００のコストを低減するために、フェライト片４２０が除去されてもよい。加えて、電力送信素子４００の回路が電圧および電流のより大きい変動を許容し得る場合、フル金属シート４４０および／またはフェライト片４２０は必要ではなく、重量、複雑さなどが低減される場合がある。いくつかの態様では、フル金属シート４４０は、電力送信素子４００の性能または効率を低下させる場合があるが、同様に、電力送信素子４００の近傍に配置された追加の金属物体または異物に応答する電力送信素子４００のインダクタンス変化の変動性を低減する場合がある。たとえば、電力送信素子４００は、フル金属シート４４０の影響に対処するように同調されてもよく、さらなる変動が低減される場合がある。
【００３３】
図４Ｂは、別の例示的な電力送信素子４５０の分解組立図である。図４Ｂに示す電力送信素子４５０は、図４Ａの電力送信素子４００と同じ構成要素を備える。簡潔のために、図４Ｂの電力送信素子４５０と図４Ａの電力送信素子４００との間の違いだけが、本明細書で論じられる。図４Ｂに示すように、フェライト片４２０は、パターン化金属シート４２５の上に置かれる。加えて、パターン化金属シート４２５は、共振器４１４（の上）の第１の側に置かれ、誘電体スペーサ４３０は、共振器４１４（の下）の第２の側に置かれる。図４Ｂでは、フル金属シート４４０は、誘電体スペーサ４３０（の下）の第２の側に配置される。図４Ａおよび図４Ｂに示していないが、誘電体スペーサ４３０はまた、共振器４１４（の下）の第２の側に置かれた誘電体スペーサ４３０に加えてまたはそれの代わりに、金属シートの第１の側（たとえば、パターン化金属シート４２５と共振器４１４との間）に置かれてもよい。加えて、図４Ａおよび図４Ｂに示していないが、パターン化金属シート４２５は、共振器４１４の両側（上および下）に置かれてもよい。いくつかの態様では、共振器４１４の上に置かれたパターン化金属シート４２５は第１の金属シートを備えてもよく、フル金属シート４４０は第２の金属シートを備えてもよく、共振器４１４の下に置かれたパターン化金属シート４２５は電力送信素子４５０の第３の金属シートを備えてもよい。
【００３４】
図５Ａは、例示的な電磁シールド５００を示す。電磁シールド５００は、金属シート５２５と、金属シート５２５内の複数のスロット５２６とを備える。いくつかの態様では、金属シート５２５および複数のスロット５２６は、図４Ａおよび図４Ｂのパターン化金属シート４２５および複数のスロット４２６と同様であってもよい。図４Ａおよび図４Ｂを参照しながら上記で説明したように、スロット５２６は、金属シート５２５内に空きスペースを含んでもよく、金属シート５２５からカットアウトされてもよく、または除去されてもよい。図５Ａに示すように、スロット５２６は、金属シート５２５の周辺から金属シート５２５の中心に向かって延びる。いくつかの態様では、金属シート５２５は単一のシートを備える。いくつかの実施形態では、スロット５２６は、電力送信素子（たとえば、図４Ａおよび図４Ｂの電力送信素子４００または４５０）の共振器コイル（たとえば、図４Ａおよび図４Ｂの共振器４１４）に直交するように構成される。いくつかの態様では、そのような構成は、金属シート５２５内の渦電流を低減するか、部分的にキャンセルするか、または完全にキャンセルしてもよく、および／または金属物体または異物の近くの渦電流（たとえば、共振器４１４によって生成されるような磁場に応答して形成された渦電流）を少なくとも部分的にキャンセルしてもよい。加えて、図４Ａおよび図４Ｂに関して、金属シート５２５（たとえば、パターン化金属シート４２５）はまた、渦電流がフル金属シート４４０内で生成されるのを防止するかまたは低減する場合がある。たとえば、以下でより詳細に説明する図１１Ａおよび図１１Ｂに関して、渦電流は、スロット１１０１ａと１１０１ｂとの間の電流の流れによって、スロット１１０１ａと１１０１ｂとの間でキャンセルされる場合がある。加えて、渦電流は、スロット１１０１ａと１１０１ｃとの間の相互作用および電流の流れによって、スロット１１０１ａと１１０１ｃとの間でキャンセルされる場合がある。いくつかの実施形態では、スロット５２６（同様に図１１Ａのスロット１１０１ａおよび１１０１ｂ）の間の空間を増加または減少させること、あるいはスロット５２６（同様に図１１Ａのスロット１１０１ａおよび１１０１ｃ）の長さを延ばすまたは縮めることが有益である場合がある。
【００３５】
図５Ｂは、別の例示的な電磁シールド５５０を示す。電磁シールド５５０は、図５Ａの電磁シールド５００と同様であり、電磁シールド５００から適応される。簡潔のために、電磁シールド５５０と電磁シールド５００との間の違いだけが、本明細書で論じられる。電磁シールド５５０は、図５Ｂに示すフェライト片５２０をさらに備える。図５Ｂでは、フェライト片５２０は、図５Ａのスロット５２６の上面または内部に配置される。いくつかの態様では、フェライト材料は、電磁シールド５５０への随意の追加である。いくつかの態様では、フェライト片５２０は、図４Ａおよび図４Ｂの電力送信素子４００の下または付近に配置された任意の金属物体または異物の間の分離を増加させるために利用されてもよい。たとえば、フェライト片５２０は、共振器（たとえば、図４Ａおよび図４Ｂの共振器４１４）によって生成される磁場（Ｈフィールド）を遮断する場合がある。フェライト片５２０は、金属シート５２５が渦電流をキャンセルする利点を依然として与えながら、磁束をフェライト片５２０に沿って効率的に案内し得る磁束のための低磁気抵抗経路を設けることによって磁場を遮断してもよく、または閉じ込めてもよい。
【００３６】
図５Ｃは、電力送信素子５９９の例示的な実施形態である。電力送信素子５９９は、共振器コイル５１４と、共振器コイル５１４の上または下に置かれたパターン化金属シート５２５とを備える。図５Ｃに示すように、金属シート５２５は複数のスロット５２６を備え、スロット５２６ａと５２６ｂとの間の金属シート５２５の中間に分離距離５５１を示す。上記で説明したように、いくつかの態様では、分離距離５５１を増加または減少させることが有益である場合がある。たとえば、いくつかの態様では、金属シート５２５内に生成された渦電流を少なくとも部分的にキャンセルするために、スロット５２６ａと５２６ｂならびに他のスロット５２６との間の分離距離５５１を低減することが有益である場合がある。
【００３７】
図６Ａは、例示的な電力送信素子６００の断面図である。図示のように、電力送信素子６００は、共振器コイル６１４の下に配置された共振器コイル６１４およびパターン化金属シート６２５を備える。図６Ａに示されていないが、パターン金属シート６２５はまた、共振器コイル６１４の上に置かれてもよい。いくつかの態様では、パターン化金属シート６２５は、上記の図５Ａおよび図５Ｃのスロット５２６と同様の複数のスロットを備えてもよい。加えて、パターン化金属シート６２５は、図４Ａおよび図４Ｂのパターン化金属シート４２５ならびに図５Ａ〜図５Ｃの金属シート５２５と同様の金属シートを備えてもよい。
【００３８】
図６Ｂは、別の電力送信素子６５０の断面図である。電力送信素子６５０は、図６Ａの電力送信素子６００と同様であり、電力送信素子６００から適応される。参照のために、電力送信素子６５０と電力送信素子６００との間の違いだけが、本明細書で論じられる。電力送信素子６５０は、パターン化金属シート６２５の下に置かれたフル金属シート６４０をさらに備える。いくつかの態様では、フル金属シート６４０は、図４Ａおよび図４Ｂのフル金属シート４４０と同等または同様であってもよい。上記で説明したように、パターン金属シート６２５の存在によって、共振器コイル６１４の近傍に置かれたフル金属シート６４０の悪影響が低減またはキャンセルされる場合がある。他の態様では、フル金属シート６４０は電力送信素子６５０の構成要素を備えてもよく、電力送信素子６５０の近傍に置かれるさらなる金属物体または異物に対する追加の保護をもたらしてもよい。たとえば、パターン化金属シート６２５およびフル金属シート６４０の存在は、電力送信素子６５０によって対処されてもよく、共振器コイル６１４は、パターン化金属シート６２５およびフル金属シート６４０の影響に対処するように同調されてもよい。そのような同調は、電力送信素子６５０の近傍に置かれる追加の金属物体または異物は、電力送信素子６５０にほとんど影響を及ぼさないので有益である場合がある。
【００３９】
図７は、電力送信素子（たとえば、電力送信素子４００）に対する異なる構成によって生成された例示的な値のチャート７００である。チャート７００の行１は、電力送信素子とは別のフル金属テーブルの近傍に置かれた共振器コイル（たとえば、共振器４１４）を備える電力送信素子構成に対する値を示す。いくつかの実施形態では、フル金属テーブルは、図４Ａおよび図４Ｂのフル金属シート４４０または図６Ｂのフル金属シート６４０を備えてもよい。図７に示すように、行１における構成は、１．４オームの抵抗において２．３μＨのトランスミッタインダクタンスをもたらす。レシーバ側において、電力受信素子は、０．７オームの抵抗とともに１４４５ｎＨのインダクタンスを受信してもよい。チャート７００の行２は、共振器コイルと、フル金属シートの近傍に置かれた複数のスロットを備えるパターン金属シートとを備える電力送信素子構成に対する値を示す。いくつかの実施形態では、行２における電力送信素子構成は、図６Ｂの電力送信素子６５０の構成を含んでもよい。電力送信素子（たとえば、電力送信素子６５０）において、電力送信素子は、１．４オームの抵抗とともに２．５μＨのインダクタンスを有する。電力受信素子、たとえば図２の電力受信素子２１８において、電力受信素子は、０．７オームの抵抗とともに１４７５ｎＨのインダクタンスを有する。チャート７００の行３において、電力送信素子は、共振器コイルと、共振器コイルの上または下に配置された金属材料のセグメントを備える電磁シールドとを備える。図４Ａ、図４Ｂ、図５Ａ〜図５Ｃ、図６Ａおよび図６Ｂのパターン化金属シート４２５、５２５および６２５とは対照的に、行３の電磁シールドは、完全な電気的分離を有する複数の金属片を含む。行３の電力送信素子はまた、別個のフル金属シートまたはフル金属テーブルの近傍に置かれる。図７の行３内に示すように、トランスミッタは、１．４オームの抵抗とともに２．４μＨのインダクタンスを有してもよい。行３内の電力受信素子は、０．７オームの抵抗とともに１４６０ｎＨのインダクタンスを有する。図７の例示的な構成では、行２内の相互インダクタンスは、行１内の構成の相互インダクタンスから６３％の改善を表している。
【００４０】
図８Ａは、例示的な電磁シールド８００の図である。電磁シールド８００は、複数のスロット８０１と金属シート８２５とを備える。図８Ａに示すように、スロット８０１は、金属シート８２５の周辺から水平方向に延び、スロット８０１は、金属シート８２５の領域８１０内で垂直方向に重なる。図８Ｂは、別の例示的な電磁シールド８５０の図である。電磁シールド８５０は、複数のスロット８５１と中心スロット８５２とを備える。電磁シールド８５０はまた、金属シート８２５を備える。図８Ｂに示すように、スロット８５１は、金属シート８２５内で水平に設置され、金属シート８２５内で垂直に延びる中心スロット８５２の両側に配置される。いくつかの態様では、電磁シールド８５０は、電磁シールド８５０に対する短いスロット構成を表す。いくつかの態様では、スロット８０１、８５１および８５２はまた、スロット８０１、８５１および８５２の上または中に追加されたフェライト材料を含んでもよい。
【００４１】
図９Ａは、フェライト材料を含む電磁シールド９００の別の例示的な実施形態である。電磁シールド９００は、スロット９０１と金属シート９２５とを備える。図９Ａに示すように、スロット９０１は、金属シート９２５を横切る対角線に構成されている。いくつかの態様では、フェライト材料（たとえば、図４Ａおよび図４Ｂのフェライト片４２６）は、金属シート９２５の上に付着されてもよく、または広げられてもよい。図９Ａに示すように、図９Ａのスロット９０１は、電力送信素子の共振器によって生成される磁場のシールドを助けるために、フェライト材料の一部分を含んでもよい。スロット９０１は金属シート９２５の辺から４５°の角度に延びるように示されているが、他の角度および構成が可能である。いくつかの実施形態では、電磁シールド９００は、金属シート９２５のないフェライト材料を含んでもよい。いくつかの態様では、フェライト材料は、図９Ａに示すスロットの形状に構成されてもよい。他の態様では、フェライト材料は、共振器（たとえば、共振器４１４）によって画定される領域の上に少なくとも部分的に延びるように構成されたフルフェライトシートを備えてもよい。
【００４２】
図９Ｂは、別の電磁シールド９５０の例示的な図である。電磁シールド９５０は、金属シート９２５と、複数のスロット９５１および９５２とを備える。図９Ｂに示すように、スロット９５２は金属シート９２５内で水平方向に延び、スロット９５１は金属シート９２５内で垂直方向に延びる。いくつかの態様では、スロット９５１および９５２は、共振器コイル（たとえば、図４Ａおよび図４Ｂの共振器４１４または図５Ｃの共振器コイル５１４）の一つまたは複数のコイル巻と平行に進むように構成される。上記で説明したように、スロット９５１および９５２はまた、スロット９５１および９５２の上または中に追加されたフェライト材料を含んでもよい。加えて、電磁シールド９５０は、金属シート９２５のないフェライト材料を含んでもよい。そのような実施形態では、フェライト材料は、スロット９５１および９５２の形状のフェライト材料を含んでもよく、またはフルフェライトシートを備えてもよい。
【００４３】
図１０Ａは、フル金属板が電力送信素子の下に配置されたときの電力送信素子構成の例示的なシミュレーションである。図１０Ａに示すように、より大きい量の渦電流が、共振器コイル１０１４の位置の付近に生成される。図１０Ｂは、パターン化金属シート（たとえば、図４Ａおよび図４Ｂのパターン化金属シート４２５）を備える電力送信素子のシミュレーションである。図１０Ｂに示すように、共振器コイル１０１４の近傍における、およびパターン化金属シート全体にわたる渦電流の量は、図１０Ａに示す量から低減されている。
【００４４】
図１１Ａは、スロット１１０１を使用する金属シート１１２５内の渦電流のキャンセル効果を示す図１１００である。図１１Ａに示すように、スロット１１０１は、スロット間で生成された渦電流が少なくとも部分的にキャンセルされるように構成されてもよい。たとえば、図１１Ａは、スロット１１０１ａのすぐ右側を垂直に上向きに流れる渦電流は、スロット１１０１ｂのすぐ左側を垂直に下向きに流れる渦電流によって少なくとも部分的にキャンセルされ得ることを示す。加えて、金属シート１１２５の交差部または中心において生成された渦電流もまた、スロット１１０１の使用によって低減されてもよく、部分的にまたは完全にキャンセルされてもよい。たとえば、図１１Ａは、金属シート１１２５の中心部分においてスロット１１０１ａの端部付近を流れる渦電流は、中心部分においてスロット１１０１ｃの端部付近を流れる渦電流によって少なくとも部分的にキャンセルされ得ることを示す。
【００４５】
図１１Ｂは、金属シート１１２５内に生成された渦電流の方向を示す図１１５０である。図１１Ｂに示すように、スロット１１０１間の電流は、金属シート１１２５内で生成された渦電流の影響をキャンセルするように反対方向に流れてもよい。上記で説明したように、金属シート１１２５内で生成された渦電流のこの低減またはキャンセルは、ワイヤレス電力伝達システム（たとえば、図１および図２のワイヤレス電力伝達システム１００および２００）の効率を向上させ、同様にフル金属シート、金属テーブル、または他の金属物体／異物からの分離を向上させる。
【００４６】
図１２は、ワイヤレス電力を送信する例示的な方法１２００のフローチャートである。図１２に示す方法１２００は、図１〜図６Ｂの電力送信素子１１４と、電力送信素子２１４と、送信回路３５０と、電力受信素子４００、４５０、５９９、６００、６５０とに類似する、ワイヤレス電力伝達システム１００および／または２００内の一つまたは複数のデバイスを介して実装されてもよい。方法１２００は、特定の順序に関して本明細書で説明されるが、様々な実装形態では、本明細書のブロックが異なる順序で実行されても、または省略されてもよく、さらなるブロックが追加されてもよい。
【００４７】
ブロック１２０５において、方法１２００は、磁場を介して負荷を充電または電力供給するのに十分なワイヤレス電力を、電力送信素子において送信するステップを含み、電力送信素子は複数のスロットを備える金属シートを備える。金属シートの複数のスロットは、金属シートの周辺から延びる。ブロック１２１０において、方法１２００は、電力送信素子の共振器を介して磁場を生成するステップをさらに含み、金属シートは共振器の幅および長さにわたって延びる。
【００４８】
いくつかの態様では、方法１２００は、電力をワイヤレスに送信するための装置によって実装されてもよい。いくつかの態様では、装置は、負荷を充電または電力供給するのに十分な磁場を生成するための手段を含む。装置は、生成する手段を第１の金属シートからシールドするための第１の手段をさらに含み、シールドするための手段は複数のスロットを画定し、複数のスロットはシールドするための第１の手段の周辺から内向きに延び、シールドするための第１の手段は、生成する手段の幅および長さにわたって延び、複数のスロットは、磁場を介してシールドするための第１の手段の中に、本明細書で説明するように生成された渦電流を少なくとも部分的にキャンセルするように構成される。いくつかの態様では、生成するための手段は、共振器コイル４１４または５１４を備える。いくつかの態様では、シールドするための第１の手段は、パターン化金属シート４２５、５２５、６２５または１１２５を備える。
【００４９】
上で説明された方法の様々な動作は、様々なハードウェアおよび／またはソフトウェア構成要素、回路、および／またはモジュールなどの、動作を実行することが可能な任意の好適な手段によって実行され得る。概して、図に示された任意の動作は、その動作を実施することが可能な対応する機能的手段によって実施されてもよい。
【００５０】
情報および信号は、様々な異なる技術および技法のうちのいずれかを使用して表されることがある。たとえば、上記の説明全体にわたって参照され得るデータ、命令、コマンド、情報、信号、ビット、記号、およびチップは、電圧、電流、電磁波、磁場もしくは磁性粒子、光場もしくは光学粒子、またはそれらの任意の組合せによって表されてよい。
【００５１】
本明細書で開示した実施形態に関して説明した様々な例示的な論理ブロック、モジュール、回路、およびアルゴリズムステップは、電子ハードウェア、コンピュータソフトウェア、または両方の組合せとして実装され得る。ハードウェアとソフトウェアのこの互換性を明確に示すために、様々な例示的な構成要素、ブロック、モジュール、回路、およびステップが、概してそれらの機能性に関して上記で説明された。そのような機能をハードウェアとして実装するか、ソフトウェアとして実装するかは、具体的な適用例および全体的なシステムに課された設計制約に依存する。説明された機能は特定の適用例ごとに様々な方法で実装され得るが、そのような実装の決定は、本発明の実施形態の範囲からの逸脱を生じるものと解釈されるべきではない。
【００５２】
本明細書で開示される実施形態とともに説明される様々な例示的ブロック、モジュール、および回路は、汎用プロセッサ、デジタル信号プロセッサ（ＤＳＰ）、特定用途向け集積回路（ＡＳＩＣ）、フィールドプログラマブルゲートアレイ（ＦＰＧＡ）もしくは他のプログラマブル論理デバイス、ディスクリートゲートもしくはトランジスタロジック、ディスクリートハードウェア構成要素、または本明細書で説明される機能を実施するために設計されるそれらの任意の組合せで実装または実施され得る。汎用プロセッサは、マイクロプロセッサであってもよいが、代替として、このプロセッサは、任意の従来のプロセッサ、コントローラ、マイクロコントローラ、またはステートマシンであってもよい。プロセッサは、コンピューティングデバイスの組合せ（たとえば、ＤＳＰとマイクロプロセッサとの組合せ、複数のマイクロプロセッサ、ＤＳＰコアと連携した一つもしくは複数のマイクロプロセッサ、または任意の他のそのような構成）として実装される場合もある。
【００５３】
本明細書で開示される実施形態に関連して説明される方法またはアルゴリズムおよび機能のステップは、ハードウェアとして直接的に、プロセッサによって実行可能なソフトウェアモジュールとして、あるいは両者の組合せとして実施され得る。ソフトウェアとして実装される場合、機能は、一つまたは複数の命令またはコードとして有形の非一時的コンピュータ可読媒体上に記憶され、または送信され得る。ソフトウェアモジュールは、ランダムアクセスメモリ（ＲＡＭ）、フラッシュメモリ、読取り専用メモリ（ＲＯＭ）、電気的プログラマブルＲＯＭ（ＥＰＲＯＭ）、電気的消去可能プログラマブルＲＯＭ（ＥＥＰＲＯＭ）、レジスタ、ハードディスク、リムーバブルディスク、ＣＤ−ＲＯＭ、または当技術分野で知られている任意の他の形態の記憶媒体内に存在し得る。記憶媒体は、プロセッサが情報を記憶媒体から読取り、記憶媒体に情報を書き込むことができるように、プロセッサに結合される。代替として、記憶媒体は、プロセッサと一体化されてもよい。本明細書で使用するディスク（ｄｉｓｋ）およびディスク（ｄｉｓｃ）は、コンパクトディスク（ｄｉｓｃ）（ＣＤ）、レーザーディスク（登録商標）（ｄｉｓｃ）、光ディスク（ｄｉｓｃ）、デジタル多用途ディスク（ｄｉｓｃ）（ＤＶＤ）、フロッピーディスク（ｄｉｓｋ）、およびブルーレイディスク（ｄｉｓｃ）を含み、ディスク（ｄｉｓｋ）は、通常、データを磁気的に再生し、ディスク（ｄｉｓｃ）は、レーザーを用いてデータを光学的に再生する。上記の組合せもコンピュータ可読媒体の範囲に含まれるべきである。プロセッサおよび記憶媒体は、ＡＳＩＣ内に存在することができる。ＡＳＩＣはユーザ端末中に存在し得る。あるいは、プロセッサおよび記憶媒体は、ユーザ端末内のディスクリートな構成要素として存在し得る。
【００５４】
本明細書では、本開示を要約するために、本発明のいくつかの態様、利点、および新規の特徴について説明した。必ずしも本発明の何らかの特定の実施形態に従ってすべてのそのような利点を達成することができるわけではないことを理解されたい。したがって、本発明は、本明細書において教示または示唆され得る他の利点を必ずしも達成することなく、本明細書において教示された一つの利点または利点のグループを達成し、または最適化する方法で具現化または実施することができる。
【００５５】
上記で説明した実施形態への様々な修正が容易に明らかになり、本明細書で定義する一般原理は、本発明の趣旨または範囲を逸脱することなく他の実施形態に適用され得る。したがって、本発明は、本明細書に示された実施形態に限定されることを意図したものではなく、本明細書に開示された原理および新規の特徴に一致する最も広い範囲を与えられるものである。
【符号の説明】
【００５６】
１００  ワイヤレス電力伝達システム
１０２  入力電力
１０４  トランスミッタ
１０５  ワイヤレスフィールド
１０８  レシーバ
１１０  出力電力
１１２  距離
１１４  電力送信素子
１１８  電力受信素子
２００  ワイヤレス電力伝達システム
２０４  トランスミッタ
２０５  ワイヤレスフィールド
２０６  送信回路
２０８  レシーバ
２１０  受信回路
２１４  電力送信素子
２１８  電力受信素子
２１９  通信チャネル
２２２  発振器
２２３  周波数制御信号
２２４  ドライバ回路
２２５  入力電圧信号（ＶＤ）
２２６  フロントエンド回路
２２７  インピーダンス制御モジュール
２３２  フロントエンド回路
２３４  整流器回路
２３６  バッテリー
２４０  送信コントローラ
２５０  コントローラ
３５０  送信または受信回路
３５２  電力送信または受信素子
３５４  キャパシタ
３５６  キャパシタ
３５８  信号
３６０  同調回路
４００  電力送信素子
４１４  共振器
４２０  フェライト片
４２５  パターン化金属シート
４２６  スロット
４３０  誘電体シート
４４０  フル金属シート
４５０  電力送信素子
５００  電磁シールド
５１４  共振器コイル
５２０  フェライト片
５２５  金属シート
５２６  スロット
５２６ａ  スロット
５２６ｂ  スロット
５５０  電磁シールド
５５１  分離距離
５９９  電力送信素子
６００  電力送信素子
６１４  共振器コイル
６２５  パターン化金属シート
６４０  フル金属シート
６５０  電力送信素子
７００  チャート
８００  電磁シールド
８０１  スロット
８１０  領域
８２５  金属シート
８５０  電磁シールド
８５１  スロット
８５２  中心スロット
８６０  領域
９００  電磁シールド
９０１  スロット
９２５  金属シート
９５０  電磁シールド
９５１  スロット
９５２  金属シート
１０１４  電磁シールド
１１００  図
１１０１  スロット
１１０１ａ  スロット
１１０１ｂ  スロット
１１０１ｃ  スロット
１１０１ｄ  スロット
１１２５  金属シート
１１５０  図
【図１】
2018537840.tif 000003
【図２】
2018537840.tif 000004
【図３】
2018537840.tif 000005
【図４Ａ】
2018537840.tif 000006
【図４Ｂ】
2018537840.tif 000007
【図５Ａ】
2018537840.tif 000008
【図５Ｂ】
2018537840.tif 000009
【図５Ｃ】
2018537840.tif 000010
【図６Ａ】
2018537840.tif 000011
【図６Ｂ】
2018537840.tif 000012
【図７】
2018537840.tif 000013
【図８Ａ】
2018537840.tif 000014
【図８Ｂ】
2018537840.tif 000015
【図９Ａ】
2018537840.tif 000016
【図９Ｂ】
2018537840.tif 000017
【図１０Ａ】
2018537840.tif 000018
【図１０Ｂ】
2018537840.tif 000019
【図１１Ａ】
2018537840.tif 000020
【図１１Ｂ】
2018537840.tif 000021
【図１２】
2018537840.tif 000022
【国際調査報告】
2018537840.tif 000023
2018537840.tif 000024
2018537840.tif 000025
2018537840.tif 000026